(57)【特許請求の範囲】
【請求項１】
板状信号伝送媒体が挿入される絶縁ハウジングと、
前記絶縁ハウジングの内部に多極状に配列された複数体のコンタクト部材と、
予め定められた回動中心を有する回動軸の周りに回動可能に取り付けられ、待機位置から作用位置に向かって回動操作される構成になされたアクチュエータと、
を備え、
前記アクチュエータには、当該アクチュエータが前記待機位置から作用位置まで回動操作された状態において前記板状信号伝送媒体の表面に対して押圧接触される配置関係になされた媒体押圧部が設けられた電気コネクタにおいて、
前記コンタクト部材に、前記アクチュエータの回動軸を回動自在に支持する軸受け部が設けられている一方、
前記媒体押圧部が、前記コンタクト部材の配列方向に予め定められた間隔をなして複数配置され、かつ前記コンタクト部材の配列方向に互いに隣り合う前記媒体押圧部同士の間部分に溝部が凹設されているとともに、
前記媒体押圧部が、前記コンタクト部材の配列方向において、前記コンタクト部材と同一の位置に配置されていることにより、前記アクチュエータが作用位置まで回動された際に、当該媒体押圧部が、前記コンタクト部材に対して直上から対面する配置関係になされ、
前記アクチュエータには、前記媒体押圧部に対して前記回動操作方向の下流側の近傍部分に、前記回動中心からの距離が前記媒体押圧部よりも大きい位置まで突出して前記回動操作のクリック感を創出する押圧前突起部が設けられたものであって、
前記押圧前突起部は、前記コンタクト部材の多極配列方向である前記アクチュエータの長手方向の一部の領域に設けられていることを特徴とする電気コネクタ。
【請求項２】
前記アクチュエータの長手方向における両側の領域に前記押圧前突起部が配置され、前記アクチュエータの長手方向の中央領域には前記押圧前突起部が設けられていないことを特徴とする請求項１記載の電気コネクタ。
【請求項３】
前記押圧前突起部が、前記アクチュエータの長手方向において予め定められた間隔をなして点在する構成になされていることを特徴とする請求項１記載の電気コネクタ。
【請求項４】
前記コンタクト部材が、前記板状信号伝送媒体に圧接する接点部を備えたものであって、
前記媒体押圧部には、前記コンタクト部材の接点部が前記板状信号伝送媒体に圧接した状態における当該板状信号伝送媒体の弾性変形部分を収容する空間から形成された変形許容部が設けられていることを特徴とする請求項１記載の電気コネクタ。
【発明の詳細な説明】
【技術分野】
【０００１】
本発明は、絶縁ハウジングに回動可能に取り付けられたアクチュエータに、板状信号伝送媒体の表面に押圧接触する媒体押圧部が設けられた電気コネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種の板状信号伝送媒体を電気的に接続するための手段として種々の電気コネクタが広く用いられている。例えば、下記の特許文献等のように印刷配線基板上に実装されて使用される電気コネクタにおいては、上述したＦＰＣやＦＦＣ等からなる板状信号伝送媒体が、絶縁ハウジング（インシュレータ）の開口部を通して内部に挿入され、その時点において「待機位置（開放位置）」にあって板状信号伝送媒体を開放状態に維持しているアクチュエータ（接続操作手段）が、作業者の操作力によって電気コネクタの前方側又は後方側の「作用位置（閉塞位置）」に向かって押し倒されるように回動される構成になされている。
【０００３】
そして、アクチュエータ（接続操作手段）が、板状信号伝送媒体を挟持する「作用位置（閉塞位置）」まで回動操作されると、当該アクチュエータに設けられた媒体押圧部（加圧部）が板状信号伝送媒体（ＦＰＣ，ＦＦＣ等）の表面に圧接され、当該アクチュエータの媒体押圧部（加圧部）の押圧力によって、板状信号伝送媒体の挟持が行われて固定状態になされる。一方、「作用位置（閉塞位置）」にあるアクチュエータが、元の「待機位置（開放位置）」に向かって上方に起こされる方向に回動操作が行われると、アクチュエータの媒体押圧部（加圧部）の押圧力が解除されていき、「待機位置（開放位置）」に達することで板状信号伝送媒体の抜去が可能となる。
【０００４】
また、上述したようにアクチュエータが「作用位置（閉塞位置）」まで回動されて媒体押圧部（加圧部）が板状信号伝送媒体（ＦＰＣ，ＦＦＣ等）に圧接されると、板状信号伝送媒体に設けられた導電路が、絶縁ハウジングの内部に多極状に配列された複数体のコンタクト部材に接触され、それによって信号回路又はグランド回路が形成される。
【０００５】
このとき、アクチュエータの媒体押圧部（加圧部）が「作用位置（閉塞位置）」に至る直前のタイミングにおいては、当該媒体押圧部よりも板状信号伝送媒体（ＦＰＣ，ＦＦＣ等）に対する突出量がやや大きくなるように形成された押圧前突起部が、板状信号伝送媒体の表面に一瞬の間圧接し、その後に媒体押圧部による押圧作用が行われることによって、アクチュエータの回動操作におけるクリック感が創出される構成がしばしば採用されている。
【０００６】
ところが、近年の電子機器においては、信号伝送の極数が多くなる傾向があり、極数の増大に比例してコンタクト部材及びアクチュエータの媒体押圧部（加圧部）の数も増大している。そのような多極構造を有する電気コネクタにおいては、極数の増大に伴ってアクチュエータに対して大きな操作力を付与しなければならなくなっており、信号伝送の極数が一定以上の数になった場合には、アクチュエータの操作に要する付加力が過大となってアクチュエータの操作が難しくなる場合も考えられる。
【０００７】
このようなアクチュエータの操作性の問題を解決するため、従来から板状信号伝送媒体（ＦＰＣ，ＦＦＣ等）に対する媒体押圧部や押圧前突起部の突出量（押圧代）を減じる対策も行われているが、そのような構成にあっては、板状信号伝送媒体に対する保持性や電気的な接続信頼性が低下し、更には回動操作のクリック感も低減されてしまうという問題がある。
【先行技術文献】
【特許文献】
【０００８】
【特許文献１】特開平０９−１３４７６３号公報
【特許文献２】特開２００２−２８９２８３号公報
【発明の開示】
【発明が解決しようとする課題】
【０００９】
そこで本発明は、簡易な構成で、アクチュエータの操作性を向上させつつ板状信号伝送媒体に対する保持性及び電気的な接続信頼性を高めることができるようにした電気コネクタを提供することを目的とする。
【課題を解決するための手段】
【００１０】
上記目的を達成するため本発明では、板状信号伝送媒体が挿入される絶縁ハウジングと、前記絶縁ハウジングの内部に多極状に配列された複数体のコンタクト部材と、予め定められた回動中心を有する回動軸の周りに回動可能に取り付けられ、待機位置から作用位置に向かって回動操作される構成になされたアクチュエータとを備え、前記アクチュエータには、当該アクチュエータが前記待機位置から作用位置まで回動操作された状態において前記板状信号伝送媒体の表面に対して押圧接触される配置関係になされた媒体押圧部が設けられた電気コネクタにおいて、前記コンタクト部材に、前記アクチュエータの回動軸を回動自在に支持する軸受け部が設けられている一方、前記媒体押圧部が、前記コンタクト部材の配列方向に予め定められた間隔をなして複数配置され、かつ前記コンタクト部材の配列方向に互いに隣り合う前記媒体押圧部同士の間部分に溝部が凹設されているとともに、前記媒体押圧部が、前記コンタクト部材の配列方向において、前記コンタクト部材と同一の位置に配置されていることにより、前記アクチュエータが作用位置まで回動された際に、当該媒体押圧部が、前記コンタクト部材に対して直上から対面する配置関係になされ、前記アクチュエータには、前記媒体押圧部に対して前記回動操作方向の下流側の近傍部分に、前記回動中心からの距離が前記媒体押圧部よりも大きい位置まで突出して前記回動操作のクリック感を創出する押圧前突起部が設けられたものであって、前記押圧前突起部は、前記コンタクト部材の多極配列方向である前記アクチュエータの長手方向の一部の領域に設けられた構成が採用されている。
【００１１】
このような構成を有する本発明によれば、板状信号伝送媒体に対する媒体押圧部及び押圧前突起部の押圧力が、アクチュエータの長手方向の一部においてのみ付与されることから、信号伝送の極数の増大に伴ってコンタクト部材の多極配列方向にアクチュエータが長大化した場合であっても、板状信号伝送媒体に対する押圧前突起部の押圧力が大きく増大されることがなくなり、板状信号伝送媒体が最終的に固定される前の段階におけるアクチュエータへの操作力が低減される一方、媒体押圧部の押圧力は減じられることなく維持されることから、板状信号伝送媒体の最終的な固定状態が良好に得られる。
【００１２】
また、本発明においては、前記アクチュエータの長手方向における両側の領域に前記押圧前突起部が配置され、前記アクチュエータの長手方向の中央領域には前記押圧前突起部が設けられていない構成とすることが可能である。
【００１３】
また、本発明においては、前記押圧前突起部が、前記アクチュエータの長手方向において予め定められた間隔をなして点在する構成を採用することが可能である。
【００１４】
さらに、本発明においては、前記コンタクト部材が、前記板状信号伝送媒体に圧接する接点部を備えたものであって、前記媒体押圧部には、前記コンタクト部材の接点部が前記板状信号伝送媒体に圧接した状態における当該板状信号伝送媒体の弾性変形部分を収容する空間から形成された変形許容部が設けられていることが望ましい。
【００１５】
このような構成を有する本発明によれば、アクチュエータの媒体押圧部により押圧されることで生じる板状信号伝送媒体の弾性変形部分が、変形許容部に収容されることとなり、それによって板状信号伝送媒体が係止状態になされることから、当該板状信号伝送媒体の保持性が向上される。
【発明の効果】
【００１６】
以上述べたように本発明にかかる電気コネクタは、板状信号伝送媒体の表面に押圧接触するようにアクチュエータに設けた媒体押圧部を、コンタクト部材の配列方向に溝部を介して複数設けるとともに、その媒体押圧部よりも、当該アクチュエータの回動半径の外方側に突出して回動操作のクリック感を創出する押圧前突起部を、コンタクト部材の多極配列方向であるアクチュエータの長手方向の一部の領域に設けたことで、板状信号伝送媒体に対する押圧前突起部の押圧力をアクチュエータの長手方向の一部に付与し、コンタクト部材の多極配列方向にアクチュエータが長大化した場合であっても、板状信号伝送媒体に対する押圧前突起部の押圧力が大きく増大されることを防止して、板状信号伝送媒体が最終的に固定される前の段階におけるアクチュエータへの操作力を低減する一方、媒体押圧部の押圧力を同様に維持させることで板状信号伝送媒体の最終的な固定状態を良好とするように構成したものであるから、簡易な構成で、アクチュエータの操作性を向上させつつ板状信号伝送媒体の保持性及び電気的な接続信頼性を高めることができ、電気コネクタの品質及び信頼性を低廉かつ大幅に向上させることができる。
【図面の簡単な説明】
【００１７】
【図１】本発明の一実施形態にかかる電気コネクタを表したものであって、板状信号伝送媒体が未挿入の状態でアクチュエータが作用位置（閉塞位置）に倒された際の全体構成を前方側から表した外観斜視説明図である。
【図２】図１に示された閉塞状態にある電気コネクタの正面説明図である。
【図３】図１及び図２に示された閉塞状態にある電気コネクタの側面説明図である。
【図４】図１〜図３に示された閉塞状態にある電気コネクタの平面説明図である。
【図５】図２中の V - V 線に沿った横断面を拡大して表した説明図である。
【図６】図２中の VI - VI 線に沿った横断面を拡大して表した説明図である。
【図７】図１〜図６に示された電気コネクタのアクチュエータが待機位置（開放位置）に跳ね上げられた状態の全体構成を前方側から表した外観斜視説明図である。
【図８】図７に示されたアクチュエータ開放状態における電気コネクタを表した正面説明図である。
【図９】図７〜図８に示されたアクチュエータ開放状態における電気コネクタの側面説明図である。
【図１０】図７〜図９に示されたアクチュエータ開放状態における電気コネクタの正面説明図である。
【図１１】図８中の XI - XI 線に沿った横断面を拡大して表した説明図である。
【図１２】図８中の XII - XII 線に沿った横断面を拡大して表した説明図である。
【図１３】図１〜図１２に示された電気コネクタに用いられているアクチュエータを表した外観斜視説明図である。
【図１４】図１３に示されたアクチュエータの正面説明図である。
【図１５】図１４中の XV - XV 線に沿った横断面を拡大して表した説明図である。
【図１６】図１４中の XVI - XVI 線に沿った横断面を拡大して表した説明図である。
【図１７】板状信号伝送媒体の端末部分が挿入された後にアクチュエータが閉塞回動操作される途中においてアクチュエータの押圧前突起部が板状信号伝送媒体に接触し始めた状態の電気コネクタを表した正面説明図である。
【図１８】図１７に示した電気コネクタの側面説明図である。
【図１９】図１７中の XIX - XIX 線に沿った横断面を拡大して表した説明図である。
【図２０】図１７中の XX - XX 線に沿った横断面を拡大して表した説明図である。
【図２１】アクチュエータが閉塞回動操作される途中においてアクチュエータの媒体押圧部が板状信号伝送媒体に接触し始めた状態の電気コネクタを表した正面説明図である。
【図２２】図２１に示した電気コネクタの側面説明図である。
【図２３】図２１中の XXIII - XXIII 線に沿った横断面を拡大して表した説明図である。
【図２４】図２１中の XXIV - XXIV 線に沿った横断面を拡大して表した説明図である。
【図２５】板状信号伝送媒体の端末部分が挿入された後にアクチュエータが作用位置（接続位置）まで閉塞回動操作された状態の電気コネクタを表した正面説明図である。
【図２６】図２５に示した電気コネクタの側面説明図である。
【図２７】図２５中の XXIII - XXIII 線に沿った横断面を拡大して表した説明図である。
【図２８】図２５中の XXIV - XXIV 線に沿った横断面を拡大して表した説明図である。
【発明を実施するための形態】
【００１８】
以下において、フレキシブル・プリンテッド・サーキット（ＦＰＣ）やフレキシブル・フラット・ケーブル（ＦＦＣ）等からなる板状信号伝送媒体の接続を行うために、印刷配線基板上に実装して使用される電気コネクタに対して本発明を適用した実施の形態を図面に基づいて詳細に説明する。
【００１９】
［電気コネクタの全体構造について］
すなわち、図１〜図６に示されている本発明の一実施形態にかかる電気コネクタ１０は、絶縁ハウジング１１の前端縁部分（図５及び図６の左端縁部分）に、接続操作手段としてのアクチュエータ１２が取り付けられた、いわゆるフロントフリップ型構造を有する電気コネクタであって、上述したアクチュエータ（接続操作手段）１２は、板状信号伝送媒体（ＦＰＣ又はＦＦＣ等）Ｆの端末部分を挿入するコネクタ前端側（図５及び図６の左端側）に向かって押し倒されるように回動された状態になされている。
【００２０】
このときの絶縁ハウジング１１は、細長状に延在する中空枠体状の絶縁性部材から形成されているが、その絶縁ハウジング１１における長手方向を、以下において「コネクタ長手方向」と呼び、板状信号伝送媒体（ＦＰＣ又はＦＦＣ等）Ｆの端末部分は、「コネクタ前方」から「コネクタ後方」に向かって挿入されるものとし、当該板状信号伝送媒体Ｆの挿入方向を「媒体挿入方向」と呼ぶこととする。さらに、板状信号伝送媒体Ｆの端末部分は、「コネクタ後方」から「コネクタ前方」に向かって抜去されるものとし、当該板状信号伝送媒体Ｆの抜去方向を「媒体抜去方向」と呼ぶこととする。
【００２１】
なお、本実施形態にかかる電気コネクタ１０は、コネクタ長手方向において左右対称の構造を有するものであるが、左右対称の配置関係になされた同一の構成部材については、同一の符号を付して説明を行うこととする。
【００２２】
絶縁ハウジング１１の中空状内部には、適宜の形状をなす薄板状金属製部材により形成されたコンタクト部材として、複数体の導電コンタクト部材１３，１３，・・・が装着されている。それら複数体の導電コンタクト部材１３，１３，・・・は、コネクタ長手方向に沿って適宜の間隔をなして多極状をなすように配置されており、絶縁ハウジング１１の内方空間を形成している底部内壁面にコネクタ長手方向に一定の間隔をなして形成された複数体のコンタクト取付溝１１ａ，１１ａ，・・・の各々に対して導電コンタクト部材１３がそれぞれ取り付けられている。
【００２３】
それら導電コンタクト部材１３の各々は、信号伝送用又はグランド接続用のいずれかとして、図示を省略した印刷配線基板上に形成された導電路に対して半田接合により実装された状態で使用される。
【００２４】
また、上述したように絶縁ハウジング１１の前端縁部分（図５及び図６の左端縁部分）には、接続操作手段としてのアクチュエータ１２が取り付けられているが、当該アクチュエータ１２は、図７以降に示されているように、上方に持ち上げられるようにして回動操作される構成になされており、そのようにアクチュエータ１２が上方に回動操作されることによって、絶縁ハウジング１１の前端縁部分がコネクタ長手方向のほぼ全長にわたって開放状態になされる（図７参照）。そして、その開放状態になされた絶縁ハウジング１１の前端縁部分から、フレキシブル・プリンテッド・サーキット（ＦＰＣ）やフレキシブル・フラット・ケーブル（ＦＦＣ）等からなる板状信号伝送媒体Ｆの端末部分が、絶縁ハウジング１１の中空状内部空間に挿入される。
【００２５】
また、上述した絶縁ハウジング１１の後端縁部分（図５及び図６の右端縁部分）には、導電コンタクト部材１３等を絶縁ハウジング１１の内部に装着するための複数の部品装着口１１ｂ，１１ｂ，・・・が、コネクタ長手方向に沿って一定の間隔で並列するように設けられている。これらの各部品装着口１１ｂは、上述したコンタクト取付溝１１ａの後端開口部にそれぞれ相当しており、当該部品装着口１１ｂを通して絶縁ハウジング１１の内部に挿入される導電コンタクト部材１３が、コンタクト取付溝１１ａに沿って予め決められた位置まで滑動するようにして挿入され挿入された状態で固定される。
【００２６】
上述したように導電コンタクト部材１３は、コネクタ長手方向において多極状をなすように複数体にわたって装着されているが、それらの各導電コンタクト部材１３は、コネクタ前方側から絶縁ハウジング１１の中空内部空間に挿入された板状信号伝送媒体（ＦＰＣ又はＦＦＣ等）Ｆの配線パターン（図示省略）に対応した位置に配置されている。その板状信号伝送媒体Ｆに形成された配線パターンは、信号伝送用導電路（信号線パッド）又はシールド用導電路（シールド線パッド）を適宜のピッチ間隔で配置したものである。
【００２７】
［コンタクト部材について］
ここで、上述した各導電コンタクト部材１３は、絶縁ハウジング１１の部品装着口１１ｂを形成している上下の壁部の内壁面に挟まれるようにして固定された後端基部１３ａを有している。その後端基部１３ａの下端部には、コネクタ後方側の外方側に向かって段差状をなすように延出する基板接続部１３ｂが連設されている。その基板接続部１３ｂは、印刷配線基板上の導電路（図示省略）に対して半田接合により接続され、その半田接合によって電気コネクタ１の実装が行われる。
【００２８】
さらに、上述した各導電コンタクト部材１３を構成している後端基部１３ａの上端部分からは、コネクタ前方側に向かって支持ビーム１３ｃが略水平に延出している。この支持ビーム１３ｃは、絶縁ハウジング１１の内部空間を形成している上壁部の内面に当接した状態で、コネクタ前後方向における略中央部分まで延出しており、当該支持ビーム１３ｃの延出端部分が、絶縁ハウジング１１に設けられた中央開口部１１ｃを通して上方側に露出されている。
【００２９】
すなわち、上述した絶縁ハウジング１１の中央開口部１１ｃは、当該絶縁ハウジング１１の上壁部のうち、コネクタ前後方向の中央部分から前方側の部分を切り欠くようにして形成されており、コネクタ長手方向の両端部に設けられた側壁部１１ｄ，１１ｄを除く全長にわたって設けられている。そして、この中央開口部１１ｃの前方側領域には、前述したアクチュエータ（接続操作手段）１２が配置されているとともに、当該中央開口部１１ｃの後方側領域には、上述したように導電コンタクト部材１３を構成している支持ビーム１３ｃの前端側部分が上方に露出するように配置されている。
【００３０】
また、絶縁ハウジング１１の側壁部１１ｄ，１１ｄの前端部分には、凹形状の被係止部１１ｆが形成されており、その被係止部１１ｆに対して、後述するアクチュエータ１２の一部が係止されることによって、アクチュエータ１２が、図１〜図６及び図２５〜図２８のように水平に押し倒された状態に維持されるようになっている。この点については後段において詳細に説明する。
【００３１】
ここで、支持ビーム１３ｃにおける前端部には、下方に向かって開口するようにして軸受け部１３ｄが凹形状をなすように形成されている。そして、その支持ビーム１３ｃに設けられた軸受け部１３ｄに対しては、アクチュエータ（接続操作手段）１２に設けられた軸部としての回動軸１２ａが、下方側から滑動自在に接触するように配置されており、その回動軸（軸部）１２ａを中心としてアクチュエータ１２が回動される構成になされている。このアクチュエータ１２の構成については、後段において詳細に説明する。
【００３２】
さらに、各導電コンタクト部材１３の後端部分を構成している後端基部１３ａの上端部分と、支持ビーム１３ｃの根本部分との一体連結部位には、弾性ビーム１３ｅが分岐するように設けられている。この弾性ビーム１３ｅは、上述した支持ビーム１３ｃの根本部分における下端縁から、コネクタ前方側の斜め下方に向かって片持ち状をなして延出する帯板状の可撓性部材から形成されており、絶縁ハウジング１１の下壁部の内壁面近傍まで斜め下方に延出した後に、やや上向きに折れ曲がるようにしてコネクタ前方側に向かって略直線状に延出している。そして、その弾性ビーム１３ｅの延出側の前端部分に、上向きの突状形状をなすようにして接点部１３ｆが形成されている。
【００３３】
この導電コンタクト部材１３の一部をなす弾性ビーム１３ｅに設けられた接点部１３ｆは、絶縁ハウジング１１の内部に挿入された板状信号伝送媒体（ＦＰＣ又はＦＦＣ等）Ｆの配線パターン（図示省略）に対して下方側から対面する配置関係になされている。そして、回動操作されたアクチュエータ（接続操作手段）１２によって板状信号伝送媒体Ｆが下方に向かって押圧されることで、当該板状信号伝送媒体Ｆの配線パターンが、導電コンタクト部材１３の接点部１３ｆに対して上方側から押し付けられるようになっている。
【００３４】
［アクチュエータについて］
ここで、前述したように回動軸（軸部）１２ａを中心として回動操作されるアクチュエータ（接続操作手段）１２は、コネクタ長手方向に延在する板状部材からなる操作本体部１２ｂを有している。この操作本体部１２ｂを構成している板状部材は、コネクタ長手方向に略平行に延在する一対の端縁部を備えているが、そのうちの一方側の端縁部に沿うようにして、上述した回動軸１２ａが延在している。
【００３５】
その回動軸（軸部）１２ａの長手方向両側の軸端部分は、操作本体部１２ｂのコネクタ長手方向の両端面から外方に向かって突出した軸端支持部１２ａ１に形成されており、それらの両軸端支持部１２ａ１，１２ａ１が、絶縁ハウジング１１の側壁部１１ｄ，１１ｄの内面側に沿って配置された保持金具１４の上縁部により下方側から滑動自在に支えられていることによって、導電コンタクト部材１３の軸受け部１３ｄから回動軸１２ａが下方に脱落しないように支持されている。そして、このような回動軸（軸部）１２ａを中心とした回動半径の外方側部分に対して、作業者の回動操作力が付与される構成になされている。
【００３６】
なお、上述した保持金具１４の下端縁部分は、図示を省略した印刷配線基板上に載置され、半田接合によって実装される構成になされている。
【００３７】
さらに、アクチュエータ（接続操作手段）１２が水平に押し倒された状態における操作本体部１２ｂの前端部分には、コネクタ長手方向の外方に向かって凸状をなすように形成された係止部１２ｇが設けられている。そして、アクチュエータ１２が水平に押し倒されるように回動された際に、当該アクチュエータ１２に設けられた係止部１２ｇが、絶縁ハウジング１１側の被係止部１１ｆに嵌合される構成になされており、それらの両部材１２ｇ，１１ｆ同士が嵌合されることによって、アクチュエータ１２が水平に押し倒された状態に維持される（図１〜図６及び図２５〜図２８参照）。
【００３８】
すなわち、そのアクチュエータ（接続操作手段）１２は、水平に倒された状態において、前述した絶縁ハウジング１１の中央開口部１１ｃの前方側の領域を閉塞するように配置されており、このようなアクチュエータ１２の閉塞回動操作によって水平に押し倒された「作用位置（閉塞位置）」から、図７〜図１２に示されているように上方に持ち上げられた「待機位置（開放位置）」まで、アクチュエータ１２の開放回動操作が行われる構成になされている。「待機位置（開放位置）」まで開放回動操作されたアクチュエータ１２は、直立した状態からやや後方側に倒された状態で絶縁ハウジング１１の一部に当接して回動を停止される。
【００３９】
このようにアクチュエータ（接続操作手段）１２が「待機位置（開放位置）」まで持ち上げられるようにして開放回動操作が行われると（図１７〜図１２参照）、絶縁ハウジング１１の前端側領域が、上方に開放された状態になされ、その開放状態になされた絶縁ハウジング１１の前端側領域に対して、板状信号伝送媒体（ＦＰＣ又はＦＦＣ等）Ｆの端末部分が上方側から載置されるようになっている。
【００４０】
この絶縁ハウジング１１の前端側領域に載置された板状信号伝送媒体（ＦＰＣ又はＦＦＣ等）Ｆの端末部分は、コネクタ前方側（図１７〜図２８の右方側）に向かって挿入されていき、絶縁ハウジング１１の壁部に当接した状態で停止される。このとき、板状信号伝送媒体Ｆの端末部分の両側縁部には、図示を省略した位置決め係止板が両側外方に張り出すように設けられており、それら両側の位置決め係止板が、絶縁ハウジング１１の長手方向両側部分に対向配置されたロック板１１ｅ，１１ｅに当接することよって板状信号伝送媒体Ｆの延在方向における移動を規制され、それによって板状信号伝送媒体Ｆの位置決めが行われる。
【００４１】
次いで、「待機位置（開放位置）」にあったアクチュエータ（接続操作手段）１２が、コネクタ前方側に押し倒されるようにして閉塞回動操作が行われ、図２５〜図２８に示されているように「作用位置（閉塞位置）」まで移動（回動）されると、前述したように操作本体部１２ｂに凸状をなすように設けられた係止部１２ｇが、絶縁ハウジング１１の被係止部１１ｆに係止されて「作用位置（閉塞位置）」で保持される。
【００４２】
この「作用位置（閉塞位置）」まで移動（回動）されたアクチュエータ（接続操作手段）１２の下面に相当する表面には、後述するように媒体押圧部１２ｃが形成されており、その媒体押圧部１２ｃが、板状信号伝送媒体（ＦＰＣ又はＦＦＣ等）Ｆの上面（一方の面）を下方側に向かって押圧し、当該板状信号伝送媒体Ｆに設けられた配線パターンを、導電コンタクト部材１３の接点部１３ｆに対して押し付ける構成になされている。この点については後段において詳細に説明する。
【００４３】
また、特に図１３〜図１６に示されているように、アクチュエータ（接続操作手段）１２の操作本体部１２ｂには、上述した導電コンタクト部材１３の一部である支持ビーム１３ｃの軸受け部１３ｄを収容する空間からなる軸受け収容部１２ｄが、櫛歯状をなすように複数体にわたって凹設されている。これらの各軸受け収容部１２ｄは、コネクタ長手方向（多極配列の方向）において上述した導電コンタクト部材１３と同一の位置に配置されており、当該アクチュエータ１２の軸受け収容部１２ｄの内部に支持ビーム１３ｃの軸受け部１３ｄが挿入されるように配置されている。この支持ビーム１３ｃの軸受け部１３ｄに対しては、前述したようにアクチュエータ（接続操作手段）１２の回動軸１２ａが、下方側から押し付けられるように接触配置されており、それによってアクチュエータ１２が回動自在に保持される構成になされている。
【００４４】
一方、前述したようにアクチュエータ（接続操作手段）１２の操作本体部１２ｂには、板状信号伝送媒体（ＦＰＣ又はＦＦＣ等）Ｆの上面（一方の面）を押圧する媒体押圧部１２ｃが、導電コンタクト部材１３に対応した位置に複数体にわたって形成されている。それら複数体の媒体押圧部１２ｃは、「作用位置（閉塞位置）」まで移動（回動）されたアクチュエータ１２の下面に相当する表面に形成されており、導電コンタクト部材１３の多極配列方向であるコネクタ長手方向において、所定のピッチ間隔をなして配置された突条部から形成されている。それらの各媒体押圧部１２ｃを形成している突条部は、アクチュエータ１２の回動半径方向に沿って細長状に延在しており、多極配列の方向（コネクタ長手方向）に沿った横断面形状が略矩形状をなすように形成されている。
【００４５】
一方、多極配列の方向（コネクタ長手方向）において互いに隣り合うように設けられた一対の媒体押圧部１２ｃ，１２ｃ同士の間部分には、同じくアクチュエータ（接続操作手段）１２の回動半径方向に沿って細長状に延在する溝部１２ｅが凹設されている。これらの溝部１２ｅは、多極配列の方向（コネクタ長手方向）に沿った横断面形状が略矩形状をなすように形成されており、アクチュエータ１２が「作用位置（閉塞位置）」まで回動された状態においても、板状信号伝送媒体（ＦＰＣ又はＦＦＣ等）Ｆの上面（一方の面）に対して非接触状態となり、板状信号伝送媒体Ｆに対する押圧作用を行わない構成になされている。
【００４６】
このようにアクチュエータ（接続操作手段）１２に設けられた媒体押圧部１２ｃは、導電コンタクト部材１３の多極配列方向（コネクタ長手方向）において、導電コンタクト部材１３と同一の位置に配置されていることから、上方に跳ね上げるようにして「待機位置（開放位置）」に配置されたアクチュエータ１２が、コネクタ前方側に向かって略水平に押し倒されるように回動操作されて「作用位置（閉塞位置）」まで回動された際に、当該アクチュエータ１２の媒体押圧部１２ｃは、導電コンタクト部材１３に対して直上から対面する配置関係になされている。
【００４７】
すなわち、絶縁ハウジング１１の内部に板状信号伝送媒体（ＦＰＣ又はＦＦＣ等）Ｆの端末部分が挿入された状態（図１７〜図２８参照）で、アクチュエータ（接続操作手段）１２が「作用位置（閉塞位置）」まで閉塞回動操作が行われると（図２５〜図２８参照）、上述したように細長状の突条部から形成されたアクチュエータ１２の媒体押圧部１２ｃが、板状信号伝送媒体Ｆの上側表面（一方の表面）を下方側に向かって押圧することとなる。その結果、当該板状信号伝送媒体Ｆの下面（他方の表面）側に設けられた配線パターンが、導電コンタクト部材１３の接点部１３ｆに対して圧接状態となって押し付けられることとなる。
【００４８】
一方、多極配列の方向（コネクタ長手方向）において互いに隣り合う一対の媒体押圧部１２ｃ，１２ｃ同士の間部分に設けられた溝部１２ｅは、アクチュエータ（接続操作手段）１２が「作用位置（閉塞位置）」まで回動された状態にあっても、板状信号伝送媒体（ＦＰＣ又はＦＦＣ等）Ｆの表面に対して非接触状態に維持される。このような溝部１２ｅを有することによって、板状信号伝送媒体Ｆの弾性変形部分が、溝部１２ｅの空間に収容され、板状信号伝送媒体Ｆに対する多極配列の方向の保持力が向上する。
【００４９】
さらに、アクチュエータ（接続操作手段）１２に設けられた媒体押圧部１２ｃの一部には、当該媒体押圧部１２ｃの外表面から前述した軸受け収容部１２ｄまで連通するようにして変形許容部１２ｆが設けられている。この変形許容部１２ｆは、アクチュエータ（接続操作手段）１２が「作用位置（閉塞位置）」まで回動された状態において、導電コンタクト部材１３の接点部１３ｆの直上位置からやや後方側の位置に形成された貫通穴からなるものであって、前述したようにアクチュエータ１２の媒体押圧部１２ｃが板状信号伝送媒体（ＦＰＣ又はＦＦＣ等）Ｆを押圧した際における当該板状信号伝送媒体Ｆの弾性変形部分が、上述した変形許容部１２ｆの内方側の空間に収容されるようになっている。
【００５０】
ここで、前述したアクチュエータ（接続操作手段）１２の操作本体部１２ｂには、板状信号伝送媒体（ＦＰＣ又はＦＦＣ等）Ｆが最終的に固定される直前に回動操作のクリック感を創出する押圧前突起部１２ｈが設けられている。この押圧前突起部１２ｈは、アクチュエータ１２が「待機位置（開放位置）」に立ち上げられた状態（図７〜図１２参照）において、上述した媒体押圧部（突条部）１２ｃ及び溝部１２ｅの下端縁部をなすように形成されており、回動軸１２ａの前方側部分において当該回動軸１２ａよりも、やや下方側に向かって突出する形状になされている。
【００５１】
すなわち、上述したように押圧前突起部１２ｈは、回動半径方向の内方側に突出するように設けられているが、特に図１３に示されているように、アクチュエータ（接続操作手段）１２の長手方向両側の領域に配置されており、長手方向の中央領域には設けられていない。従って、そのアクチュエータ（接続操作手段）１２の長手方向における中央領域においては、媒体押圧部（突条部）１２ｃ及び溝部１２ｅの回動半径内方側の端縁部分が、略平坦面状をなして延在するように形成されている。
【００５２】
この押圧前突起部１２ｈは、「待機位置（開放位置）」にあったアクチュエータ（接続操作手段）１２が「作用位置（閉塞位置）」に向かって押し倒される閉塞回動操作の円周軌跡の方向において媒体押圧部１２ｃの前方側（下流側）に配置されており、アクチュエータ１２の回動中心である回動軸１２ａからの距離（半径）が、同じく回動軸１２ａから媒体押圧部１２ｃに至るまでの距離（半径）よりもやや大きくなるように設定されている。
【００５３】
従って、アクチュエータ（接続操作手段）１２が閉塞回動操作されることで、媒体押圧部１２ｃが板状信号伝送媒体（ＦＰＣ又はＦＦＣ等）Ｆの表面に押し付けられる直前のタイミングにおいて、押圧前突起部１２ｈの頂部が板状信号伝送媒体Ｆの表面に圧接され、その直後に押圧前突起部１２ｈが板状信号伝送媒体Ｆの表面から離脱し、かつ媒体押圧部１２ｃが板状信号伝送媒体Ｆの表面に圧接されることから、当該閉塞回動操作における、いわゆるクリック感及びクリック音が得られる構成になされている。
【００５４】
このようにアクチュエータ（接続操作手段）１２の閉塞回動操作方向において媒体押圧部１２ｃの下流側近傍部分に設けられた押圧前突起部１２ｈは、導電コンタクト部材１３の多極配列方向であるコネクタ長手方向の一部の領域に設けられているが、本実施形態のように、アクチュエータ１２の長手方向における両側領域のみに押圧前突起部１２ｈを配置する構成のみならず、当該押圧前突起部１２ｈが、予め定められた間隔をなしてアクチュエータ１２の長手方向に点在する配置構成など、種々の配置関係とすることが可能である。
【００５５】
以上述べたように本実施形態にかかる電気コネクタ１０によれば、板状信号伝送媒体（ＦＰＣ又はＦＦＣ等）Ｆに対する押圧前突起部１２ｈの押圧力が、アクチュエータ１２の長手方向の一部においてのみ付与されることから、信号伝送極数の増大に伴って導電コンタクト部材１３の多極配列方向にアクチュエータ１２が長大化した場合であっても、板状信号伝送媒体Ｆに対する押圧前突起部１２ｈの押圧力が大きく増大されることがない。そのため、板状信号伝送媒体Ｆが最終的に固定される前の段階におけるアクチュエータ１２への操作力が低減される一方、媒体押圧部１２ｃの押圧力は減じられることなく維持されることから、板状信号伝送媒体Ｆの最終的な固定状態が良好に得られる。
【００５６】
また、本実施形態においては、アクチュエータ（接続操作手段）１２が「作用位置（閉塞位置）」に回動された際に、当該アクチュエータ１２の媒体押圧部１２ｃが、導電コンタクト部材１３の接点部１３ｆと直接対向する位置で板状信号伝送媒体（ＦＰＣ又はＦＦＣ等）Ｆを押圧することから、アクチュエータ１２の媒体押圧部１２ｃから板状信号伝送媒体Ｆへ付与される接圧が、分散することなく導電コンタクト部材１３の接点部１３ｆに確実に付加される。
【００５７】
さらに、本実施形態においては、アクチュエータ（接続操作手段）１２の媒体押圧部１２ｃ同士の間部分に溝部１２ｅが形成されていることから、板状信号伝送媒体（ＦＰＣ又はＦＦＣ等）Ｆの上面（一方の表面）に対して、アクチュエータ１２の媒体押圧部１２ｃのみが圧接することとなり、当該アクチュエータ１２の媒体押圧部１２ｃに対向する導電コンタクト部材１３の接点部１３ｆの接圧が、板状信号伝送媒体Ｆに対して、より確実に付与される。
【００５８】
さらにまた、本実施形態においては、アクチュエータ（接続操作手段）１２の媒体押圧部１２ｃにより押圧されることにより生じる板状信号伝送媒体（ＦＰＣ又はＦＦＣ等）Ｆの弾性変形部分が、アクチュエータ１２に設けられた変形許容部１２ｆに収容されることにより、板状信号伝送媒体Ｆが係止状態になされることから、当該板状信号伝送媒体Ｆの保持性が向上される。
【００５９】
加えて、本実施形態においては、軸受け部１３ｄを含む導電コンタクト部材１３の一部分が、アクチュエータ（接続操作手段）１２に設けられた軸受け収容部１２ｅ内に収容された構造になされるため、電気コネクタ全体の小型化が図られる。
【００６０】
また、本実施形態におけるアクチュエータ（接続操作手段）１２に設けられた軸受け収容部１２ｄは、変形許容部１２ｆと連通されていることから、アクチュエータ１２を金型形成するにあたって、軸受け収容部１２ｄ、及び回動軸１２ａを成形する金型の構造が、変形許容部１２ｆに相当する部位を通して容易に型抜きされることとなり、生産性が向上される。
【００６１】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００６２】
例えば、上述した各実施形態では、電気コネクタに固定される板状信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同ように適用することができる。
【００６３】
また、上述した実施形態にかかるアクチュエータは、コネクタ前方側に向かって回動される構成になされているが、コネクタ後方側に向かって回動されるように構成された電気コネクタに対しても、本発明は同ように適用することが可能である。
【００６４】
さらに、上述した実施形態にかかる電気コネクタには、同一形状を有する導電コンタクト部材を多極状に配列された構成を採用しているが、異なる形状の導電コンタクト部材を用いたものであっても本発明は同ように適用することが可能である。
【産業上の利用可能性】
【００６５】
本発明は、各種電気機器に使用する多種多様な電気コネクタに対して広く適用することが可能である。
【符号の説明】
【００６６】
１０  電気コネクタ
１１  絶縁ハウジング
１１ａ  コンタクト取付溝
１１ｂ  部品装着口
１１ｃ  中央開口部
１１ｄ  側壁部
１１ｅ  ロック板
１１ｆ  被係止部
１２  アクチュエータ（接続操作手段）
１２ａ  回動軸（軸部）
１２ａ１  軸端支持部
１２ｂ  操作本体部
１２ｃ  媒体押圧部（突条部）
１２ｄ  軸受け収容部
１２ｅ  溝部
１２ｆ  変形許容部
１２ｇ  係止部
１２ｈ  押圧前突起部
１３  導電コンタクト部材
１３ａ  後端基部
１３ｂ  基板接続部
１３ｃ  支持ビーム
１３ｄ  軸受け部
１３ｅ  弾性ビーム
１３ｆ  接点部
１４    保持金具
Ｆ  板状信号伝送媒体（ＦＰＣ又はＦＦＣ等）
【図１】
0006308197.tif 000002
【図２】
0006308197.tif 000003
【図３】
0006308197.tif 000004
【図４】
0006308197.tif 000005
【図５】
0006308197.tif 000006
【図６】
0006308197.tif 000007
【図７】
0006308197.tif 000008
【図８】
0006308197.tif 000009
【図９】
0006308197.tif 000010
【図１０】
0006308197.tif 000011
【図１１】
0006308197.tif 000012
【図１２】
0006308197.tif 000013
【図１３】
0006308197.tif 000014
【図１４】
0006308197.tif 000015
【図１５】
0006308197.tif 000016
【図１６】
0006308197.tif 000017
【図１７】
0006308197.tif 000018
【図１８】
0006308197.tif 000019
【図１９】
0006308197.tif 000020
【図２０】
0006308197.tif 000021
【図２１】
0006308197.tif 000022
【図２２】
0006308197.tif 000023
【図２３】
0006308197.tif 000024
【図２４】
0006308197.tif 000025
【図２５】
0006308197.tif 000026
【図２６】
0006308197.tif 000027
【図２７】
0006308197.tif 000028
【図２８】
0006308197.tif 000029